(57)【要約】【課題】分岐ブレーカと負荷名称表示板との位置ズレを無くし、分岐ブレーカと負荷名称を確実に対応させることができる分電盤を提供する。【解決手段】主幹ブレーカ４の二次側に接続された導電バーを挟んで分岐ブレーカ６を対向させて長手方向に複数並設し、分岐ブレーカ６を覆うカバー３に負荷名称窓３ｃを形成して分岐ブレーカ６の負荷側配線先を表示した負荷名称表示板７を露出するようにした分電盤１において、負荷名称表示板７を導電バーを跨いで両側の分岐ブレーカ６の操作部６ａを有する上面に架け渡し、分岐ブレーカ６の係止爪６ｂを負荷名称表示板７の上下端縁部に係止させて負荷名称表示板７を前後方向に固定し、負荷名称表示板７の突片７ａを分岐ブレーカ６の側面に係止させて負荷名称表示板７を左右方向に固定することで負荷名称表示板７を分岐ブレーカ６に取り付ける。【選択図】図１
2007014160.tif 000002
【特許請求の範囲】
【請求項１】
主幹ブレーカの二次側に接続された導電バーを挟んで分岐ブレーカを対向させて長手方向に複数並設し、前記分岐ブレーカを覆うカバーに負荷名称窓を形成して前記分岐ブレーカの負荷側配線先を表示した負荷名称表示板を露出するようにした分電盤において、前記負荷名称表示板を前記導電バーを跨いで前記両側の分岐ブレーカの操作部を有する上面に架け渡し、前記分岐ブレーカに取り付けたことを特徴とする分電盤。
【発明の詳細な説明】
【技術分野】
【０００１】
本発明は、分岐ブレーカの負荷側配線先を記入した負荷名称表示板の取り付け構造に関する。
【背景技術】
【０００２】
従来の分電盤の負荷名称表示板の取り付け構造としては、例えば、特許文献１に記載のものがある。これは、分岐ブレーカの負荷側配線作業時に分電盤のカバーを取り外した状態で負荷名称が確認できるようにするため、主幹ブレーカの二次側に接続された複数の導電バーを覆うように負荷名称表示板が取り付けられ、充電部カバーの機能を兼ねるようになっている。また、分岐ブレーカを操作する際にカバーを取り付けた状態で負荷名称を確認できるようにするため、分電盤のカバーに負荷名称窓が開口され、この負荷名称窓から負荷名称表示板が露出するようになっていた。
【０００３】
【特許文献１】特開２００１−１０３６２０号公報
【発明の開示】
【発明が解決しようとする課題】
【０００４】
しかしながら、従来の充電部カバーの機能を兼ねた負荷名称表示板は、導電バーを支持するための支持部材に係止させて取り付けられるため、分岐ブレーカの取り付け位置と支持部材の取り付け位置に分岐ブレーカの並設方向へズレが生じたり、更に支持部材と負荷名称表示板の取り付けに分岐ブレーカの並設方向へズレが生じた場合、分岐ブレーカの取り付け位置と支持部材の取り付け位置のズレ及び支持部材と負荷名称表示板のズレが夫々は少しであっても、両方合わせるとズレが大きくなり、而も薄型の分岐ブレーカでは各負荷名称の表示の幅も狭いのでズレが大きくなり、分岐ブレーカに対応する負荷名称が分かりづらいという問題があった。
【課題を解決するための手段】
【０００５】
本発明は、主幹ブレーカの二次側に接続された導電バーを挟んで分岐ブレーカを対向させて長手方向に複数並設し、分岐ブレーカを覆うカバーに負荷名称窓を形成して分岐ブレーカの負荷側配線先を表示した負荷名称表示板を露出するようにした分電盤において、負荷名称表示板を導電バーを跨いで両側の分岐ブレーカの操作部を有する上面に架け渡し、分岐ブレーカに取り付けたことを特徴とする。
【発明の効果】
【０００６】
本発明によれば、分岐ブレーカと負荷名称表示板との位置ズレをなくし、分岐ブレーカと負荷名称を確実に対応させることができる効果がある。
【発明を実施するための最良の形態】
【０００７】
主幹ブレーカの二次側に接続された導電バーを挟んで分岐ブレーカを対向させて長手方向に複数並設し、分岐ブレーカを覆うカバーに負荷名称窓を形成して分岐ブレーカの負荷側配線先を表示した負荷名称表示板を露出するようにした分電盤において、負荷名称表示板を導電バーを跨いで両側の分岐ブレーカの操作部を有する上面に架け渡し、分岐ブレーカに取り付ける。
【実施例１】
【０００８】
本発明に係る分電盤の実施例１を図１〜図３の添付図面に基づいて説明する。
【０００９】
分電盤１は、背面が壁面に取り付けられ前面が開口された本体２と、本体２の前面開口を施蓋するカバー３とで成っている。本体２は主幹ブレーカ４が取り付けられ、主幹ブレーカ４の二次側に複数の導電バー５，５，５が接続されて主幹ブレーカ４から離れるように右方向に延びている。この導電バー５を挟んで長手方向の両側には分岐ブレーカ６が対向して配置され、分岐ブレーカ６は導電バー５に電源側端子を接続して導電バー５の長手方向に複数並設されている。そして、導電バー５の前面には分岐ブレーカ６の負荷名称を表示する負荷名称表示板７が充電部カバーの機能を兼ねて取り付けられている。また、カバー３は主幹ブレーカ４と分岐ブレーカ６の操作部４ａ，６ａを露出する操作窓３ａ，３ｂと、負荷名称表示板７を露出する負荷名称窓３ｃが形成されている。
【００１０】
分岐ブレーカ６は操作部６ａを有する上面の導電バー５側の部分に段部６ｂが形成され、この段部６ｂの垂直面に負荷名称表示板７の上下端縁部が係止する係止爪６ｃが形成されている。係止爪６ｃは負荷名称表示板７が係止しやすいように上部が傾斜している。
【００１１】
負荷名称表示板７は樹脂などの絶縁材料により薄板状に形成され、導電バー５を跨いで両側の分岐ブレーカ６の上面の段部６ｂに架け渡される大きさに形成され、上下端縁部の左右両端には分岐ブレーカ６の側面に係止する突片７ａが上下方向に突出するように形成されている。そして、表面には夫々の分岐ブレーカ６に対応して負荷名称が記入されている。
【００１２】
負荷名称表示板７を分岐ブレーカ６に取り付けるには、負荷名称表示板７を両側の分岐ブレーカ６の上面間に架け渡し当接させて上下部を分岐ブレーカ６の上面に押し付ける。これにより負荷名称表示板７の上下端縁部が分岐ブレーカ６の係止爪６ｃを乗り越えて係止するので前後方向に固定され、また、負荷名称表示板７の突片７ａが分岐ブレーカ６の側面に係止するので左右方向に固定されることにより負荷名称表示板７は取り付けられる。また、負荷名称表示板７を取り外すには手前に引っ張ることにより係止爪６ｃとの係止が解除して取り外すことができる。
【００１３】
このようにして負荷名称表示板７は分岐ブレーカ６に対し位置ズレしないように直接取り付けられるので負荷名称表示板７に表示された負荷名称は分岐ブレーカ６と確実に対応する。
【００１４】
尚、例えば、図４に示すように分岐ブレーカ６の段部６ｂに係止溝６ｄを形成し、負荷名称表示板７の上下端縁部を係止溝６ｄに係止させ、それから上下端縁部の左右両端に突設された突片７ａを分岐ブレーカ６の側面に係止させることにより取り付けたり、図５に示すように分岐ブレーカ６の上面に係合突起６ｅを突設し、負荷名称表示板７に形成した係合孔７ｂを分岐ブレーカ６の係合突起６ｅに係合させることにより取り付けるなど、負荷名称表示板７と分岐ブレーカ６の係止構造について限定はなく、適宜に変更して実施することも可能である。
【図面の簡単な説明】
【００１５】
【図１】本発明に係る分電盤のカバーを外した状態の斜視図である。
【図２】本発明に係る分電盤の分岐ブレーカに負荷名称表示板を取り付けた状態を示す要部正面図である。
【図３】図２の左側面図である。
【図４】本発明に係る分電盤の変形実施例を示す分岐ブレーカの左側面図である。
【図５】本発明に係る分電盤の変形実施例を示す分岐ブレーカの左側面図である。
【符号の説明】
【００１６】
１    分電盤
２    本体
３    カバー
４    主幹ブレーカ
５    導電バー
６    分岐ブレーカ
７    負荷名称表示板
【図１】
2007014160.tif 000003
【図２】
2007014160.tif 000004
【図３】
2007014160.tif 000005
【図４】
2007014160.tif 000006
【図５】
2007014160.tif 000007